(57)【要約】      （修正有）【課題】自己のツボの押圧を行う場合において、自己の手で直接行うよりも十分な強さで押圧可能な丹田押圧器を提供する。【解決手段】患者７の正面前方に設けた梃子棒２の下端を、身体保持構造体に一体的に取り付けた支持部材や基体に設けた凹部に旋回自在に取り付け、その下端を梃子の支点とする。梃子棒２の上端の把手部５を患者７が引っ張ることで、その部分を梃子の力点とし、梃子棒２に一体的に突き出して設けた押圧体６を作用部とすることで、患者が十分な強さで押圧可能となる。【選択図】図１
0003169043.tif 000002
【実用新案登録請求の範囲】
【請求項１】
基台に一体的に背当て板を起立して身体保持構造体を形成し、
背当て板の正面前方に設けた梃子棒の下端を
前記身体保持構造体に旋回自在に取り付けて支点となすと共に、
梃子棒の上端部に把手部を形成して力点となし、
さらに梃子棒には前記背当て板に向け押圧体を一体的に突き出し、
この押圧体を作用部となすことを特徴とする丹田押圧器。
【請求項２】
前記梃子棒の下端を前記身体保持構造体に一体の支持部材に取り付けることにより、
前記支点を基台の上方で且つ背当て板の正面前方に位置させることを特徴とする請求項1記載の丹田押圧器。
【請求項３】
前記梃子棒の下端を基台に取り付けることにより前記支点を基台上に位置させることを特徴とする請求項1記載の丹田押圧器。
【請求項４】
前記梃子棒の上端部に左右方向に一対の把手部を形成してなる請求項１記載の丹田押圧器。
【請求項５】
基台に梃子棒の下端を旋回自在に取り付けて支点となすと共に、
梃子棒の上端部に把手部を形成して力点となし、
梃子棒には押圧体を側方に向けて一体的に形成して作用部となすことを特徴とする丹田押圧器。
【考案の詳細な説明】
【技術分野】
【０００１】
本考案は、丹田を自己の力で押圧する丹田押圧器に関する。
【背景技術】
【０００２】
「丹田」とは、へその下の下腹部にあたるところをいい、ここに力を入れると健康と勇気を得るといわれる（岩波新書  広辞苑第４版）。日本の禅や武道、芸道などにおいても丹田を重視し、身心一如の境地に至るための大切なポイントとし（ウィキペディア「丹田」）。横隔膜を鍛える「調和道丹田呼吸法」と呼ばれるものも発達している。
【０００３】
「丹田」には、東洋医学の経絡理論における「経絡」（気のルート）の一つである「任脈」の重要なツボの「関元」があり、小腸の不調、月経痛・月経不順・子宮けいれん・インポテンツ・小便不利など、泌尿・生殖器肝経の症状に効くと言われている（ウィキペディア「関元穴」）。そのため、東洋医学の書物などでも良く紹介されると共に、マッサージなどにおいても刺激をされる頻度の高いポイントとなっている。
【０００４】
上記泌尿器系等の問題がある場合には、「あん摩マッサージ指圧師」によるマッサージ等によるツボの押圧、また自己の手や特許文献にあるようなベルトを用いた押圧具を用いてのツボの押圧を行うことで健康を回復できる。
【０００５】
しかし自己の手や特許文献にあるようなベルトを用いた押圧の程度は、十分なものではなく効果が限られているという問題があった。また、「あん摩マッサージ指圧師」による押圧は、時間的、費用的な制約が大きいという問題があった。
【先行技術文献】
【特許文献】
【０００６】
【特許文献１】登録実用新案３１４２８６６号公報
【考案の概要】
【考案が解決しようとする課題】
【０００７】
解決しようとする課題は、自己の手で行う場合の押圧の強さが、十分なものではなく効果が限られており、また「あん摩マッサージ指圧師」による場合は、時間的、費用的な制約が大きいという点である。
自己のツボの押圧を行う場合において、自己の手で直接行うよりも十分な強さで押圧可能な丹田押圧器を提供することである。これにより、「あん摩マッサージ指圧師」によるマッサージと同等以上の強さの押圧を得ることができ、それによる効果を得ることが可能となる。また時間的・費用的な制約も解消できる。
【課題を解決するための手段】
【０００８】
本発明は、請求項１記載のごとく、基台に一体的に背当て板を起立して身体保持構造体を形成し、背当て板の正面前方に設けた梃子棒の下端を前記身体保持構造体に旋回自在に取り付けて支点となすと共に、梃子棒の上端部に把手部を形成して力点となし、さらに梃子棒には前記背当て板に向け押圧体を一体的に突き出し、この押圧体を作用部となすことを特徴とする丹田押圧器である。
【０００９】
また、請求項２記載のごとく、前記梃子棒の下端を前記身体保持構造体に一体の支持部材に取り付けることにより、前記支点を基台の上方で且つ背当て板の正面前方に位置させることを特徴とする請求項1記載の丹田押圧器である。
【００１０】
また、請求項３記載のごとく、前記梃子棒の下端を基台に取り付けることにより前記支点を基台上に位置させることを特徴とする請求項1記載の丹田押圧器である。
【００１１】
また、請求項４記載のごとく、前記梃子棒の上端部に左右方向に一対の把手部を形成してなる請求項１記載の丹田押圧器である。
【００１２】
また、請求項５記載のごとく、基台に梃子棒の下端を旋回自在に取り付けて支点となすと共に、梃子棒の上端部に把手部を形成して力点となし、梃子棒には押圧体を側方に向けて一体的に形成して作用部となすことを特徴とする丹田押圧器である。
【考案の効果】
【００１３】
本考案によれば、押圧体を一体的に突き出した梃子棒の下端を、身体保持体に旋回自在に取り付け、その下端を支点とし上端にある把手部を自身に向かって引く動作を行うことにより、押圧体を丹田に押し当て、通常自身が直接押圧するよりも強く押圧することができ、丹田押圧による健康の維持という効果を得ることができる。
自己が操作することができるので、押圧による痛みを感じた場合には、すぐに押圧体を身体からはずすことができ、また、時間的・費用的な制約がない。
【００１４】
請求項２に係る考案によれば、身体保持構造体に一体的に取り付けられた支持部材を丹田から距離が近い股下等に設けることができ、梃子の原理により強く押圧することができる。
【００１５】
請求項３に係る考案によれば、押圧体から基台の凹部まで届くように梃子棒を長くするため、押圧の始めと終わりで押圧体の姿勢が変化せず、適切に押圧することが可能となる。
【００１６】
請求項４に係る考案によれば、把手部が梃子棒に左右一対に結合しているので、両腕により梃子棒を中心にして本考案に係る梃子棒を保持できるので、身体に対して垂直に押圧することが容易となる。
【００１７】
請求項５に係る考案によれば、支点を基台に設けているので身体保持構造体を構成する背あて板が不要となり、よりシンプルな構造で丹田押圧器を構成することができる。
【図面の簡単な説明】
【００１８】
【図１】本考案の第一実施形態の丹田押圧器の側面図である。
【図２】図１に示した第一実施形態の丹田押圧器の上面図である。
【図３】本考案の第一実施形態の丹田押圧器を床に設置し、仰臥位で押圧する場合の側面図である。
【図４】本考案の第二実施形態の丹田押圧器の側面図である。
【考案を実施するための形態】
【００１９】
（第一実施形態）
以下、本考案の第一の実施形態について、図１乃至図３を用いて説明する。
【００２０】
丹田押圧器１は、基台９と背当て板８とにより一体的に構成する身体保持構造体と、その身体保持構造体に旋回自在に取り付けた梃子棒２と、から構成する。その梃子棒２には押圧体６を一体的に結合している。押圧体６は人体に接触する部分であるので、剛性の高い金属よりは、木またはゴムなどの材料からなる場合が多く、形状は本押圧器を用いる患者７の好みに応じて複数用意する。一般的には「あん摩マッサージ指圧師」による施術と同様、接触面が大人の人間の肘や、手の甲、又は親指と同じ形状や、それに近い曲率半径をもつ構造とする。
【００２１】
本実施形態においては、梃子棒２の上端には押圧体６を人体に押し付けるのに便利なように、棒状体を垂直に結合して把手部５とする。ただし把手部５は梃子棒２をそのまま延長しグリップを設けたものも含まれる。梃子棒２及び把手部５は、軽量化を考慮し木製の中実棒で構成しボルトで固定している。このように構成することにより梃子棒２は押圧時に適度なしなりを生じ、過度な押圧がかからないように患者７は認識することができる。梃子棒２及び把手部の材料はその他にもプラスチックや金属製の中空棒が考えられる。
【００２２】
なお梃子棒２は患者７の身長等に合わせてその長さを自在に変更できる構造としている。また、梃子棒２は第一実施形態では１本の直線の棒状体で表しているが、２以上の構造体により角度を持って接合した構成とすることもできる。
【００２３】
本実施形態においては、釣り針形状の金具である釣り針形状体３を梃子棒２の下端に設け、身体保持構造体に設けられたＵ字形状体である支持部材４に引っ掛けるようにする。
【００２４】
身体保持構造体は背当て板８と基台９とで構成され、背当て板８には支持部材４を設ける。支持部材４は釣り針形状体３を引っ掛けるための穴を設けるようにする。本実施例において支持部材４は、Ｕボルトを用い、Ｕ字の開口部が背当て板８と結合することにより釣り針形状体３を引っ掛けることができる。
【００２５】
本実施例による丹田押圧器１の使用方法を説明する。
【００２６】
患者７の身長に合わせて、支持部材４の上下位置を調整する。支持部材４の位置は患者の両太ももの間に来るように設置する。支持部材４の位置を決めた後、患者７は基台９の上に立ち、釣り針形状体３を、支持部材４のＵボルトに引っ掛ける。これにより、梃子棒２が身体保持構造体に旋回自在に取り付くこととなる。
【００２７】
押圧体６の形状は患者７の好みによって付け替える。
【００２８】
この状態で把手部５の棒状体を手前に引っ張ることで、押圧体６が患者７に押し当てられる。即ち支点を釣り針形状体３と支持部材４とにより構成し、把手部５を力点とし、押圧体６を作用部とする梃子として患者が自身で押圧することが可能となる。引っ張りにより押圧する方式であるので、患者７自身の指による押圧よりも強く押圧することができる。また梃子の原理により、支点から作用部までの距離と、支点から力点までの距離の比の分だけ引っ張り力よりも押圧する力が強くなり、より小さな力で押圧できる。
【００２９】
なお、丹田押圧器１は設置面積等を考慮すると第一実施形態にあるように患者７が立位で使用するのが一般的であるが、図３に示すように押圧時の装置の安定性を考慮して背当て板８を床に置き、仰臥位で使用することもできる。
【００３０】
（第二実施形態）
以下、本考案の第二の実施形態について、図３を用いて説明する。
【００３１】
丹田押圧器１は、押圧体６を有する梃子棒２と、基台９とから構成する。その梃子棒２の構成は、第一実施形態のものと同じである。
【００３２】
本実施形態においては、梃子棒２の下端を基台９に設けた凹部１０に差込み、梃子の支点とする。
【００３３】
本実施例による丹田押圧器１の使用方法を説明する。
【００３４】
患者７の身長に合わせて、梃子棒２の長さと押圧体６の上下位置を調整する。患者７は壁などに背を当て、基台９の上に立ち、梃子棒２の下端を基台９に設けた凹部１０に差し込む。これにより、梃子棒２が患者に対して旋回自在に取り付くこととなる。
【００３５】
押圧体６の形状は患者７の好みによって付け替える。
【００３６】
この状態で把手部５の棒状体を手前に引っ張ることで、押圧体６が患者７に押し当てられる。即ち支点を基台９の凹部１０とし、把手部５を力点とし、押圧体６を作用部とする梃子として患者７が自身で押圧することができる。引っ張りにより押圧を得る方式であるので、患者７自身の指による押圧よりも大きな押圧を得ることができる。また、支点から作用部までの距離が長いので、押圧する動作の最初と最後で押圧体６の姿勢が変化せず適切な姿勢のまま押圧することができる。
【符号の説明】
【００３７】
１  丹田押圧器
２  梃子棒
３  釣り針形状体
４  支持部材
５  把手部
６  押圧体
７  患者
８  背当て板
９  基台
１０  凹部
１１  壁
【図１】
0003169043.tif 000003
【図２】
0003169043.tif 000004
【図３】
0003169043.tif 000005
【図４】
0003169043.tif 000006